(57)【要約】【課題】サブチャネル間のクロストークを抑制する。【解決手段】信号生成回路は、宛先が同一であり波長が隣接する複数のサブチャネル信号に、周波数変調方式の重畳信号を重畳し、１つのスーパーチャネル信号として送信する。光フィルタは、スーパーチャネル信号が有する複数のサブチャネル信号の中で、波長が隣接する２つのサブチャネル信号の一部をフィルタリングする。検出器は、光フィルタでフィルタリングされた２つのサブチャネル信号の光強度を表す検出レベルの電気信号を生成する。制御回路は、検出レベルの変動が小さくなるように、２つのサブチャネル信号それぞれに重畳信号を重畳するタイミングを調整し、信号生成回路を制御して、複数のサブチャネル信号それぞれに同一の重畳信号を重畳させる。【選択図】図１
2014103600.tif 000002
【特許請求の範囲】
【請求項１】
宛先が同一であり波長が隣接する複数の光信号に、周波数変調方式の重畳信号を重畳し、１つの通信信号として送信する送信部と、
前記通信信号が有する前記複数の光信号の中で、波長が隣接する２つの光信号の一部をフィルタリングするフィルタ部と、
前記フィルタ部でフィルタリングされた２つの光信号の光強度を表す検出レベルの電気信号を生成する検出部と、
前記検出レベルの変動が小さくなるように、前記２つの光信号それぞれに前記重畳信号を重畳するタイミングを調整し、前記送信部を制御して、前記複数の光信号それぞれに同一の前記重畳信号を重畳させる制御部と、
を備えることを特徴とする光伝送装置。
【請求項２】
前記フィルタ部が有する光フィルタの通過帯域の中心波長は、
前記２つの光信号の帯域の中心波長に設定される
ことを特徴とする請求項１に記載の光伝送装置。
【請求項３】
前記フィルタ部の光フィルタは、通過帯域の波長を可変できる光フィルタであり、
前記制御部は、前記検出レベルの変動が設定された値以下になったとき、前記光フィルタの通過帯域を、他の帯域に変更する
ことを特徴とする請求項１または２に記載の光伝送装置。
【請求項４】
宛先が同一であり波長が隣接する複数の光信号に、周波数変調方式の重畳信号を重畳し、１つの通信信号として送信する送信部と、
前記通信信号が有する前記複数の光信号それぞれに対応する複数の電気信号を生成し、該複数の電気信号の中で、波長が隣接する２つの電気信号の一部をフィルタリングし、該フィルタリングされた２つの電気信号の強度を表す検出レベルを取得するコヒーレント受信部と、
前記検出レベルの変動が小さくなるように、前記２つの光信号それぞれに前記重畳信号を重畳するタイミングを調整し、前記送信部を制御して、前記複数の光信号それぞれに同一の前記重畳信号を重畳させる制御部と、
を備えることを特徴とする光伝送装置。
【請求項５】
宛先が同一であり波長が隣接する複数の光信号に、周波数変調方式の重畳信号を重畳し、１つの通信信号として送信する送信部と、
前記通信信号が有する前記複数の光信号それぞれに対応する複数の電気信号を生成し、該複数の電気信号の中で、波長が隣接する２つの電気信号を分離し、該分離された２つの電気信号から、２つの重畳信号を抽出するコヒーレント受信部と、
前記２つの重畳信号の位相が同じになるように、前記２つの光信号それぞれに前記重畳信号を重畳するタイミングを調整し、前記送信部を制御して、前記複数の光信号それぞれに同一の前記重畳信号を重畳させる制御部と、
を備えることを特徴とする光伝送装置。
【請求項６】
宛先が同一であり波長が隣接する複数の光信号に、周波数変調方式の重畳信号を重畳し、１つの通信信号として送信する送信部と、
前記通信信号が有する前記複数の光信号の中で、波長が隣接する２つの光信号の一部をフィルタリングするフィルタ部と、
前記フィルタ部でフィルタリングされた２つの光信号の光強度を表す検出レベルの電気信号を生成する検出部と、
前記検出レベルの変動が小さくなるように、前記２つの光信号それぞれに前記重畳信号を重畳するタイミングを調整し、前記送信部を制御して、前記複数の光信号それぞれに同一の前記重畳信号を重畳させる制御部と、
を備えることを特徴とするノード装置。
【請求項７】
宛先が同一であり波長が隣接する複数の光信号に、周波数変調方式で同一の重畳信号を重畳し、
前記重畳信号が重畳された前記複数の光信号を１つの通信信号として送信し、
前記送信された通信信号が有する前記複数の光信号の中で、波長が隣接する２つの光信号の一部を光フィルタでフィルタリングし、
前記フィルタリングされた２つの光信号の光強度を表す検出レベルの電気信号を生成し、
前記検出レベルの変動が小さくなるように、前記２つの光信号それぞれに前記重畳信号を重畳するタイミングを調整する
ことを特徴とする光伝送方法。
【請求項８】
前記通信信号を受信し、
前記通信信号が有する前記複数の光信号の中で、最短波長側、または最長波長側の光信号を、波長依存性損失を有する光フィルタでフィルタリングし、
前記フィルタリングされた最短波長側、または最長波長側の光信号が、該光信号の光強度を表す検出レベルの電気信号を生成する
ことを特徴とする請求項７に記載の光伝送方法。
【請求項９】
第１の光伝送装置および第２の光伝送装置を有する光伝送システムであって、
前記第１の光伝送装置は、
宛先が同一であり波長が隣接する複数の光信号に、周波数変調方式の重畳信号を重畳し、１つの通信信号として送信する送信部と、
前記送信部を制御して、前記複数の光信号それぞれに同一の重畳信号を重畳させる制御部と、
を備え、
前記第２の光伝送装置は、
前記通信信号を受信する受信部と、
前記通信信号が有する前記複数の光信号の中で、最短波長側、または最長波長側の光信号を、波長依存性損失を有する光フィルタでフィルタリングする第１のフィルタ部と、
前記第１のフィルタ部でフィルタリングされた光信号から、該光信号の光強度を表す第１の検出レベルの電気信号を生成する第１の検出部と、
を備えることを特徴とする光伝送システム。
【請求項１０】
前記第１の光伝送装置は、
前記通信信号が有する前記複数の光信号の中で、波長が隣接する２つの光信号の一部をフィルタリングする第２のフィルタ部と、
前記第２のフィルタ部でフィルタリングされた２つの光信号を、該２つの光信号の光強度を表す第２の検出レベルの電気信号を生成する第２の検出部と、
を備え、
前記制御部は、
前記第２の検出レベルの変動が小さくなるように、前記２つの光信号それぞれに前記重畳信号を重畳するタイミングを調整し、前記送信部を制御して、前記複数の光信号それぞれに同一の重畳信号を重畳させることを特徴とする
請求項９に記載の光伝送システム。
【発明の詳細な説明】
【技術分野】
【０００１】
本発明は光伝送を制御する技術に関する。
【背景技術】
【０００２】
光分岐挿入装置および／または波長クロスコネクトを備えるフォトニックネットワークが提案および開発されている。光分岐挿入装置（ＲＯＡＤＭ：Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）は、ＷＤＭ（Ｗａｖｅｌｅｎｇｔｈ  Ｄｉｖｉｓｉｏｎ  Ｍｕｌｔｉｐｌｅｘｉｎｇ）信号から所望の波長の光信号を分岐してクライアントに導き、また、任意の波長のクライアント信号をＷＤＭ信号に挿入することができる。波長クロスコネクト（ＷＸＣ：Ｗａｖｅｌｅｎｇｔｈ  Ｃｒｏｓｓ  ＣｏｎｎｅｃｔまたはＰＸＣ：Ｐｈｏｔｏｎｉｃ  Ｃｒｏｓｓ  Ｃｏｎｎｅｃｔ）は、電気信号に変換することなく、光信号のルートを波長ごとに制御することができる。
【０００３】
上述のようなフォトニックネットワークにおいては、同一の波長を使用する複数の光パス（ここでは、波長パス）が設定されることがある。このため、ネットワークを確実に構築および運用するために、例えば、各光パスを識別するパスＩＤを光信号に重畳して伝送する方式が提案されている。この場合、フォトニックネットワーク上のノード装置（ここでは、光分岐挿入装置、波長クロスコネクトなど）は、光信号に重畳されているパスＩＤを検出する機能を備える。そうすると、ノード装置において、各光パスを確実に識別することができるので、光ファイバを誤ったポートに接続する等の障害を監視・検出・回避することが可能となる。
【０００４】
光パスを管理する技術として、下記のステップを有する方法が提案されている。少なくとも１つのペイロードデータストリームに少なくとも１つの副データストリームを結合させて合成電気データストリームを生成する。光変調器に合成電気データストリームを与えて光信号を生成する。合成電気データストリームの速度の２分の１よりも低い動作周波数の光受信器で光信号を検出する。そして、光受信器の電気出力から副データストリームを再生する技術が知られている。（例えば、特許文献１）
また、特許文献２〜６、非特許文献１には、関連する技術が記載されている。
【先行技術文献】
【特許文献】
【０００５】
【特許文献１】米国特許７５８０６３２
【特許文献２】米国特許７５１２３４２
【特許文献３】米国特許公開２００９／０１６９２１０
【特許文献４】米国特許公開２０１０／００８０５６８
【特許文献５】特開平１１−３３１２２４号公報
【特許文献６】特開２００８−２６３５９０号公報
【非特許文献】
【０００６】
【非特許文献１】Vinay A. Vaishampayan and Mark D. Feuer, “An Overlay Architecture for Managing Lightpaths in Optically Routed Networks,” IEEE Transactions on Communications, Vol.53, No.10, Oct.2005
【発明の概要】
【発明が解決しようとする課題】
【０００７】
光伝送の分野では、直交周波数分割多重（ＯＦＤＭ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＮｙｑｕｉｓｔ−ＷＤＭなどの周波数利用効率を向上する技術が知られている。そして、光伝送の分野では、ＯＦＤＭやＮｙｑｕｉｓｔ−ＷＤＭを用いて、複数の光信号（以下、サブチャネル信号ともいう。）を、従来のＷＤＭよりも高密度に波長多重し、一つのスーパーチャネル信号（以下、通信信号ともいう。）と見なすスーパーチャネル（Ｓｕｐｅｒｃｈａｎｎｅｌ）という概念が導入され始めている。
【０００８】
スーパーチャネルで用いられるスーパーチャネル信号に、前述した光信号にパスＩＤなどの情報を示す信号を重畳する光伝送技術を適用すると、以下の問題が考えられる。
前述した光伝送技術では、例えば、ＷＤＭ信号に含まれる光信号の波長間隔を狭くすると、隣接する光信号間でクロストークが発生することがある。したがって、スーパーチャネル信号に、前述の光伝送技術を適用すると、信号の重畳により隣接するサブチャネル信号間の波長間隔が狭くなるタイミングで、隣接するサブチャネル信号間でクロストークが発生し、重畳信号の伝送性能、および受信感度が低下することが想定される。
【０００９】
上述した問題に鑑み、本明細書で後述する光伝送装置は、サブチャネル信号間のクロストークを抑制することを目的とする。
【課題を解決するための手段】
【００１０】
本明細書で開示する光伝送装置のひとつに、送信部と、フィルタ部と、検出部と、制御部を備えた光伝送装置がある。ここで、送信部は、宛先が同一であり波長が隣接する複数の光信号に、周波数変調方式の重畳信号を重畳し、１つの通信信号として送信する。フィルタ部は、通信信号が有する複数の光信号の中で、波長が隣接する２つの光信号の一部をフィルタリングする。検出部は、フィルタ部でフィルタリングされた２つの光信号の光強度を表す検出レベルの電気信号を生成する。制御部は、検出レベルの変動が小さくなるように、２つの光信号それぞれに重畳信号を重畳するタイミングを調整し、送信部を制御して、複数の光信号それぞれに同一の重畳信号を重畳させる。
【発明の効果】
【００１１】
上述の態様によれば、サブチャネル信号間のクロストークを抑制することができる。
【図面の簡単な説明】
【００１２】
【図１】光伝送装置が使用される光伝送システムの一実施例を示す図である。
【図２】光伝送装置の一実施例を示す機能ブロック図である。
【図３】送信回路の一実施例を示すブロック図である。
【図４】スーパーチャネル信号の例を示す図である。
【図５】送信器の一実施例を示すブロック図である。
【図６】周波数変調信号の重畳について説明する図である。
【図７】受信回路の一実施例を示すブロック図である。
【図８】受信回路の光フィルタの通過帯域を示す図である。
【図９】サブチャネル信号の同期方法について説明する図である。
【図１０】周波数変調による波長偏移量の設定の一例を説明する図である。
【図１１】サブチャネルの同期処理の内容を示すフローチャートである。
【図１２】サブチャネルの同期処理の内容を示すフローチャートである。
【図１３】光伝送装置の他の例を示す図である。
【図１４】光伝送装置の他の例を示す図である。
【図１５】光伝送装置を有するノード装置の一実施例を示すブロック図である。
【図１６】光伝送装置を有するノード装置の一実施例を示すブロック図である。
【発明を実施するための形態】
【００１３】
実施形態の光伝送装置について説明する。
実施形態の光伝送装置は、信号生成回路と、スプリッタと、光フィルタと、検出器と、制御回路とを有する。
【００１４】
そして、信号生成回路は、宛先が同一であり波長が隣接する複数のサブチャネルそれぞれに、同一の周波数変調信号（以下、重畳信号ともいう。）を重畳し、１つのスーパーチャネル信号として送信する。
【００１５】
スプリッタは、信号生成回路の後段に接続され、スーパーチャネル信号を分岐して光フィルタに入力する。
【００１６】
光フィルタは、スーパーチャネル信号が有するサブチャネルの中で、波長が隣接する２つのサブチャネル信号の一部を同時にフィルタリングする。
【００１７】
検出器は、光フィルタでフィルタリングされた２つのサブチャネル信号から、２つのサブチャネル信号の光強度に比例した検出レベルの電気信号を生成する。
【００１８】
制御回路は、電気信号の検出レベルの変動が小さくなるように、２つのサブチャネル信号それぞれについて、重畳信号を重畳するタイミングを調整する。そして、制御回路は、送信器を制御して、２つ以上のサブチャネル信号それぞれに、調整したタイミングで同一の重畳信号を重畳させる。また、制御回路は、変動する検出レベルの最大時と最小時の値の差が閾値より小さくなると、別の２つのサブチャネル信号の一部をフィルタリングするように、光フィルタを設定する。なお、電気信号の検出レベルの差が小さいということは、常に２つのサブチャネル信号間の波長間隔が等しい、すなわち、２つのサブチャネル信号に重畳されている重畳信号が常に同じタイミングで切替わっている（以下、重畳信号が同期するともいう。）ことを意味する。
【００１９】
光伝送装置は、スーパーチャネル信号が有する２つのサブチャネル信号の間について、波長の短い方、または長い方から順に、重畳信号を同期させるように、全てのサブチャネル間について検出レベルの調整をする。
【００２０】
これにより、光伝送装置は、スーパーチャネル信号が有する各サブチャネル信号に、同一であり、かつ同じタイミングで切替わる重畳信号を重畳することができる。よって、光伝送装置は、スーパーチャネル信号が有する各サブチャネル信号に重畳信号を重畳したときでも、各サブチャネル信号の波長間隔を設定された間隔に保つことができるので、サブチャネル信号間のクロストークを抑制することができる。
【００２１】
図１は、光伝送装置が使用される光伝送システムの一実施例を示す図である。
以下の説明において、重畳信号は、一例として、光パスを指定するパスＩＤを示す信号であるものとする。ただし、重畳信号は、パスＩＤに限定されるものでなく、ユーザが所望する情報を示す信号であっても良い。
【００２２】
図１に示す光伝送システム１は、ＷＤＭ伝送装置２〜５、光分岐挿入装置６〜８、波長クロスコネクト９、光伝送装置１０、およびネットワーク管理システム（ＮＭＳ）１１を有する。
【００２３】
ＷＤＭ伝送装置２、３、５は、それぞれ、光ファイバ回線を介して光分岐挿入装置６、７、８に接続されている。光分岐挿入装置６、７、８は、それぞれ、光ファイバ回線を介して波長クロスコネクト９に接続されている。ＷＤＭ伝送装置４は、光ファイバ回線を介して波長クロスコネクト９に接続されている。なお、各光ファイバ回線上には、１または複数の光アンプが設けられていてもよい。
【００２４】
ＷＤＭ伝送装置２〜５は、光伝送装置１０を有し、後述するネットワーク管理システム１１やクライアント回線から入力される信号に基づくスーパーチャネル信号を生成し、ＷＤＭ信号に挿入する。
【００２５】
光伝送装置１０は、波長の異なる複数のサブチャネル信号を１つの信号として扱うスーパーチャネル信号を生成し、波長の異なる複数のスーパーチャネル信号を含むＷＤＭ信号を送信する信号生成回路を有する。また、光伝送装置１０は、スーパーチャネル信号に重畳されているパスＩＤ信号を検出してパスＩＤを取得するための受信回路を有する。
【００２６】
光分岐挿入装置６〜８は、入力されるＷＤＭ信号の中から指定された波長チャネルを通過させる。また、光分岐挿入装置６〜８は、入力されるＷＤＭ信号の中から指定された波長のスーパーチャネル信号を分岐してクライアント回線に導く。さらに、光分岐挿入装置６〜８は、光伝送装置１０を有し、ネットワーク管理システム１１やクライアント回線から入力される信号に基づくスーパーチャネル信号を生成し、ＷＤＭ信号に挿入する。
【００２７】
波長クロスコネクト９は、複数の入力ポートおよび複数の出力ポートを備え、指定された光パスを実現するように、入力されるＷＤＭ信号を出力ポートに導く。なお、明示されていないが、波長クロスコネクト９は、光分岐挿入装置６〜８と同様に、クライアント回線への分岐や、光伝送装置１０を用いたネットワーク管理システム１１やクライアント回線からの挿入機能を備えていてもよい。
【００２８】
ネットワーク管理システム１１は、光伝送システム１において、ユーザから指示される光パスを設定する。すなわち、ネットワーク管理システム１１は、ユーザから指示される光パスを実現するように、ＷＤＭ伝送装置２〜５、光分岐挿入装置６〜８、および波長クロスコネクト９を制御する。ネットワーク管理システム１１は、集中型の制御システムにより、いわゆるマネジメントプレーンを構成するものであってもよいし、分散型の制御システムにより、いわゆる制御プレーンを構成するものであってもよく、さらにそれらの複合システムであってもよい。
【００２９】
図１に示す例では、光伝送システム１には、光パスＰ１〜Ｐ４が設定されている。各光パスは、それぞれ破線で表されている。光パスＰ１は、ＷＤＭ伝送装置２から光分岐挿入装置６および波長クロスコネクト９を介してＷＤＭ伝送装置４へスーパーチャネル信号を伝送する。光パスＰ２は、ＷＤＭ伝送装置２から光分岐挿入装置６を介してクライアント１２へスーパーチャネル信号を伝送する。光パスＰ３は、ＷＤＭ伝送装置３から光分岐挿入装置７を介してクライアント１３へスーパーチャネル信号を伝送する。光パスＰ４は、クライアント１４から光分岐挿入装置７、波長クロスコネクト９、光分岐挿入装置８を介してＷＤＭ伝送装置５へスーパーチャネル信号を伝送する。なお、各光パスＰ１〜Ｐ４は、双方向にスーパーチャネル信号を伝送してもよい。
【００３０】
上記構成の光伝送システム１において、ネットワーク管理システム１１は、通信資源を効率的にまたは柔軟に利用するために、異なる光パスに対して同じ波長を割り当てることができる。図１に示す例では、光パスＰ１、Ｐ２、Ｐ３、Ｐ４に対して、それぞれ、波長λ１、λ３、λ１、λ１が割り当てられている。
【００３１】
ユーザあるいはネットワーク管理者は、光パスが正しく設定されているか確認したいことがある。ところが、複数の光パスに対して同じ波長が割り当てられているとき、各波長チャネルのスペクトルをモニタするだけでは、各光パスを識別することは困難である。例えば、波長クロスコネクト９において、各波長チャネルのスペクトルをモニタするだけでは、光パスＰ１、Ｐ４を識別することは困難である。
【００３２】
そこで、ネットワーク管理システム１１は、各光パスに対してパスＩＤを割り当てる。そして、光パスの送信元装置は、光パスを介して伝送するスーパーチャネル信号に、パスＩＤを表すパスＩＤ信号を重畳信号として重畳する。例えば、ＷＤＭ伝送装置２は、光パス１を介して伝送するスーパーチャネル信号に対して「パスＩＤ＝１」を表すパスＩＤ信号を重畳し、光パス２を介して伝送するスーパーチャネル信号に対して「パスＩＤ＝２」を表すパスＩＤ信号を重畳する。
【００３３】
なお、光伝送装置１０は、光分岐挿入装置６〜８および波長クロスコネクト９などのノード装置全てに対して設ける必要はなく、また一つのノード装置に対して複数の光伝送装置１０を設けても良い。また、光伝送装置１０は、ノード装置内に内蔵されていてもよいし、ノード装置に着脱可能に接続されるようにしてもよい。
【００３４】
図２は、光伝送装置の一実施例を示す機能ブロック図である。
図２を参照して、光伝送装置１０の機能を説明する。
図２において、光伝送装置１０は、送信部２１、受信部２２、フィルタ部２３、検出部２４、および制御部２５を備えている。
【００３５】
送信部２１は、制御部２５から入力された情報を示す主信号に、重畳信号を乗算した乗算信号を生成する。そして、送信部２１は、乗算信号を示すようにサブチャネルを変調することで、重畳信号を重畳したサブチャネル信号を生成する。なお、上記の送信部２１の動作のことを、送信部２１は、重畳信号をサブチャネル信号に重畳するということにする。
【００３６】
また、送信部２１は、宛先が同一であり波長が隣接する複数のサブチャネル信号を、１つのスーパーチャネル信号とする。そして、送信部２１は、波長の異なる複数のスーパーチャネル信号を含むＷＤＭ信号を生成し、送信信号として制御部２５に指定された宛先に送信する。
【００３７】
受信部２２は、波長の異なる複数のスーパーチャネル信号を含むＷＤＭ信号を受信信号として受信する。また、受信部２２は、ネットワーク管理システム１１やクライアント回線から主信号やパスＩＤ信号などの重畳信号を受信する。
【００３８】
フィルタ部２３は、制御部２５に制御され、通過帯域を可変する。そして、フィルタ部２３は、送信部２１から送信されたスーパーチャネル信号が入力されると、２つ以上のサブチャネル信号の中で、波長が隣接する２つのサブチャネル信号の一部を同時にフィルタリングする。
【００３９】
また、フィルタ部２３は、受信部２２で受信したスーパーチャネル信号が入力されると、スーパーチャネル信号の中で最短波長側、または最長波長側のサブチャネル信号をフィルタリングする。また、フィルタ部２３は、受信部２２で受信したスーパーチャネル信号をフィルタリングするとき、サブチャネル信号の透過光に波長依存性損失を持たせる。
【００４０】
検出部２４は、送信部２１から入力され、フィルタ部２３でフィルタリングされた、２つのサブチャネル信号の一部を、光強度を表す検出レベルの電気信号に変換する。検出部２４は、例えば、フィルタ部２３でフィルタリングされた、２つのサブチャネル信号の一部を、光強度に比例する検出レベルの電気信号に変換する。
【００４１】
また、検出部２４は、受信部２２から入力され、フィルタ部２３でフィルタリングされたサブチャネル信号を、光強度を表す検出レベルの電気信号に変換する。検出部２４は、例えば、フィルタ部２３でフィルタリングされた、２つのサブチャネル信号の一部の光強度を、光強度に比例する検出レベルの電気信号に変換する。
【００４２】
制御部２５は、検出部２４で変換された２つのサブチャネル信号の一部の光強度を表す検出レベルの電気信号について、検出レベルの変動が小さくなるように、２つのサブチャネルそれぞれに、重畳信号を重畳するタイミングを調整する。そして、制御部２５は、送信部２１を制御して、２つのサブチャネルそれぞれに同一の重畳信号を重畳させる。
【００４３】
制御部２５は、検出部２４で変換された電気信号の検出レベルの変動が予め定められた閾値よりも小さくなると、フィルタ部２３を制御して、フィルタ部２３の通過帯域を他の帯域に変更する。一例として、スーパーチャネルが４つのサブチャネルを有しているものとする。また、各サブチャネル信号をサブチャネル信号１〜４とする。この場合、制御部２５は、例えば、サブチャネル信号１、２の検出レベルの変動が閾値よりも小さくなるように、サブチャネル信号１、２に重畳する重畳信号のタイミングを制御する。続いて、制御部２５は、サブチャネル信号２、３の検出レベルの変動が閾値よりも小さくなるように、サブチャネル信号２、３に重畳する重畳信号のタイミングを制御する。さらに、制御部２５は、サブチャネル信号３、４の検出レベルの変動が閾値よりも小さくなるように、サブチャネル信号３、４に重畳する重畳信号のタイミングを制御する。これにより、サブチャネル信号１〜４に重畳される信号のタイミングが互いにほぼ一致する。すなわち、光伝送装置１０は、送信部２１から出力されるスーパーチャネル信号が有する各サブチャネル信号に、同じタイミングで同一の重畳信号を重畳することができる。なお、複数のサブチャネルから２つのサブチャネルを選択する順番は、特に限定されるものではない。また、予め定められた閾値とは、図示しない光伝送装置１０が有する記憶装置に記憶されていても良いし、図示しない入力部からユーザにより入力された値でも良い。
【００４４】
図３は、送信回路の一実施例を示すブロック図である。
図３は、光伝送装置１０の送信回路２００を示す。
以下の説明では、各スーパーチャネル信号が、４つのサブチャネルを有するものとして説明する。ただし、実施形態のスーパーチャネル信号は、サブチャネルが４つであると限らないものとする。
【００４５】
送信回路２００は、光スプリッタ２６、信号生成回路３０、光フィルタ４０、検出器５０、および制御回路６０を有する。
【００４６】
光スプリッタ２６は、信号生成回路３０から出力されるスーパーチャネル信号を分岐して、光フィルタ４０に導く。
【００４７】
信号生成回路３０は、送信器Ｔｘ１〜ＴｘＮ、マルチプレクサ（ＭＵＸ）３１−１〜３１−ｍ、３２を有する。そして、信号生成回路３０は、図２において、送信部２１として機能する。なお、ｍは１以上の自然数であるものとする。
【００４８】
送信器ＴｘＮ−３〜ＴｘＮには、制御回路６０から入力された、周波数変調方式の重畳信号ｆｍ（ｔ）と、重畳信号ｆｍ（ｔ）の遅延量ΔｔＮ−３〜ΔｔＮとが入力される。送信器ＴｘＮ−３〜ＴｘＮは、入力された各重畳信号ｆｍ（ｔ）に、それぞれ入力された遅延量ΔｔＮ−３〜ΔｔＮを持たせ、サブチャネル信号に重畳し、マルチプレクサ３１に出力する。なお、Ｎは１以上の自然数であるものとする。また、遅延量Δｔ１〜ΔｔＮとは、重畳信号ｆ１（ｔ）〜ｆｍ（ｔ）の遅延量を調整するパラメータであり、変更されると、対応した関係となるように各重畳信号ｆ１（ｔ）〜ｆｍ（ｔ）の相対的な位相を変更する。以下の説明においては、特に識別するときを除いて、送信器、重畳信号、および遅延量の添え字を省略するものとする。
【００４９】
マルチプレクサ３１−１〜３１−ｍは、それぞれ光送信器Ｔｘ１〜Ｔｘ４、．．．、ＴｘＮ−３〜ＴｘＮから出力されるサブチャネル信号を多重化してスーパーチャネル信号を生成する。なお、マルチプレクサ３１−１〜３１−ｍから出力される信号は、それぞれ図４（ａ）に示すように、波長が隣り合わせの４つのサブチャネル信号を一つにしたスーパーチャネル信号である。
【００５０】
マルチプレクサ３２は、マルチプレクサ３１−１〜３１−ｍから出力されるスーパーチャネル信号を多重化してＷＤＭ信号を生成する。なお、マルチプレクサ３２から出力される信号は、図４（ｂ）に示すように、波長の異なる複数のスーパーチャネル信号を含むＷＤＭ信号である。
【００５１】
光フィルタ４０は、入力されたスーパーチャネル信号が含むサブチャネル信号の中から、隣接する２つのサブチャネル信号の一部を同時にフィルタリングする。そして、光フィルタ４０は、図２において、フィルタ部２３として機能する。
【００５２】
検出器５０は、入力されたサブチャネル信号の光強度に応じた光電流を出力する。すなわち、検出器５０は、光フィルタ４０によりフィルタリングされた２つのサブチャネル信号を電気信号に変換する。検出器５０は、例えば、フォトダイオードを含む。そして、検出器５０は、図２において、検出部２４として機能する。
【００５３】
制御回路６０は、光モニタ制御回路６１、光伝送システム制御回路６２、および送信信号制御回路６３を有する。そして、制御回路６０は、図２において、制御部２５として機能する。
【００５４】
光モニタ制御回路６１は、繰り返し検出器５０から入力される電気信号の検出レベルの差を測定する。そして、光モニタ制御回路６１は、測定した検出器５０から入力される電気信号の検出レベルの差を送信信号制御回路６３に出力する。
【００５５】
また、光モニタ制御回路６１は、検出器５０から入力される電気信号の検出レベルの差が閾値以下となると、後述する光伝送システム制御回路６２から入力される波長情報に基づいて、光フィルタ４０の帯域を切替える制御をする。一例として、光モニタ制御回路６１は、波長情報からスーパーチャネル信号の各サブチャネル信号の波長を認識し、電気信号の検出レベルの差が閾値以下となるごとに、隣の２つのサブチャネルの間の帯域に光フィルタ４０の帯域を切替える制御をする。
【００５６】
光伝送システム制御回路６２は、送信信号制御回路６３に送信器Ｔｘ１〜ＴｘＮから出力するサブチャネルの波長と、重畳信号で送信するパスＩＤなどの情報と、重畳信号の波長と、重畳信号の波長偏移量とを出力する。なお、波長偏移量とは、例えば、周波数変調信号において、「０」、および「１」を表す各波長の差として与えられても良い。また、波長偏移量とは、例えば、周波数変調信号において、「０」、および「１」を表す各波長の中心周波数と、「０」、および「１」を表す各波長との差として与えられても良い。
【００５７】
光伝送システム制御回路６２は、光モニタ制御回路６１に送信器Ｔｘ１〜ＴｘＮから出力するサブチャネルの波長と、重畳信号の周波数と、重畳信号の波長偏移量とで与えられる波長情報を出力する。
【００５８】
送信信号制御回路６３は、光伝送システム制御回路６２から入力された、サブチャネルの波長と、重畳信号で送信する情報と、重畳信号の周波数と、重畳信号の波長偏移量とを送信器Ｔｘ１〜ＴｘＮに出力する。
【００５９】
また、送信信号制御回路６３は、光モニタ制御回路６１から入力された電気信号の検出レベルの差が小さくなるように、各送信器Ｔｘ１〜ＴｘＮに入力する遅延量Δｔ１〜ΔｔＮを変化させる。一例として、送信信号制御回路６３は、光フィルタ４０にフィルタリングされている２つのサブチャネル信号に重畳する重畳信号の遅延量を変更する。そして、送信信号制御回路６３は、フィルタリングされている２つのサブチャネル信号に重畳する重畳信号の遅延量を変更するごとに、検出レベルをチェックして、検出レベルの差が閾地よりも小さくなるまで遅延量の変更を繰り返す。具体的には、一方のサブチャネル信号に重畳する重畳信号の遅延量を固定し、他方のサブチャネル信号に重畳する重畳信号の遅延量を電気信号の検出レベルの差が小さくなるように遅延量を増減させても良い。
【００６０】
図５は、送信器の一実施例を示すブロック図である。
以下の説明において、一例として、送信器Ｔｘ１について説明する。なお、送信器Ｔｘ２〜ＴｘＮについては、送信器Ｔｘ１と構成が同じなので、説明を省略する。
【００６１】
図５に示す送信器Ｔｘ１は、光源７１、乗算器７２、および変調器７３を有する。
光源７１は、例えば、波長可変レーザであり、光伝送システム制御回路６２から入力された、サブチャネルの波長に応じた波長の連続光を生成する。
【００６２】
乗算器７２は、図示しないクライアント端末や、ネットワーク管理システム１１から入力される主信号Ｓｎ（ｔ）と、送信信号制御回路６３から入力される遅延量を含む重畳信号ｅｘｐ(ｊ２πｆｄ(ｔ−Δｔ１))とを乗算する。そして、乗算器７２は、主信号と重畳信号とを乗算した結果である乗算信号Ｓｎ(ｔ)・ｅｘｐ(ｊ２πｆｄ(ｔ−Δｔ１))を変調器７３に入力する。
【００６３】
変調器７３は、乗算器７２から乗算信号が入力されると、乗算信号によりサブチャネルを変調し、サブチャネル信号を出力する。
【００６４】
図６は、周波数変調信号の重畳について説明する図である。
以下の説明において、一例として、送信器Ｔｘ１について説明する。なお、送信器Ｔｘ２〜ＴｘＮについては、それぞれ送信器Ｔｘ１と同様に、サブチャネル信号に重畳信号を重畳するので説明を省略する。
【００６５】
図６は、時刻Ｔ０、Ｔ１〜Ｔ４における送信器Ｔｘ１の時間分解出力スペクトルを示している。そして、それぞれの縦軸Ｐは光強度、横軸λは重畳信号の波長を示している。それぞれの時刻における出力光スペクトルの広がりは、主信号による高速変調に従って生じるスペクトル広がりを表しており、サブチャネル信号の変調方式や変調速度に応じてさまざまな幅や形状をとりうるものである。送信器Ｔｘ１から出力されるサブチャネル信号には、周波数変調方式の重畳信号が重畳されている。図６に示す例では、周波数変調信号はデジタルコードであり、時刻Ｔ１〜Ｔ４においてサブチャネル信号に重畳される重畳信号により示されるコードは「０１１０」であるものとする。また、送信器Ｔｘ１が使用するサブチャネルの中心波長はλ１であるものとする。図６では、サブチャネル信号の出力スペクトルの波形を、一例として、Ｎｙｑｕｉｓｔ−ＷＤＭに実施形態を適用した場合の波形（矩形波）としている。
【００６６】
時刻Ｔ０においては、サブチャネル信号に重畳信号が重畳されていない。この場合、送信器Ｔｘ１は、サブチャネル信号の波長をシフトさせない。したがって、時刻Ｔ０に出力されるサブチャネル信号のスペクトルの中心は、λ１である。
【００６７】
時刻Ｔ１においては、サブチャネル信号に重畳信号として「０」が重畳される。この場合、送信器Ｔｘ１は、サブチャネル信号の波長を−Δλ（重畳信号の波長偏移量）だけシフトさせる。したがって、時刻Ｔ１に出力されるサブチャネル信号のスペクトルの中心は、λ１−Δλである。
【００６８】
時刻Ｔ２においては、サブチャネル信号に重畳信号として「１」が重畳される。この場合、送信器Ｔｘ１は、サブチャネル信号の波長を＋Δλだけシフトさせる。したがって、時刻Ｔ２に出力されるサブチャネル信号のスペクトルの中心は、λ１＋Δλである。同様に、時刻Ｔ３に出力されるサブチャネル信号のスペクトルの中心はλ１＋Δλであり、時刻Ｔ４に出力されるサブチャネル信号のスペクトルの中心はλ１−Δλである。
【００６９】
Δλは、サブチャネルの波長と比較して十分に小さい。また、Δλは、ＷＤＭ信号間で干渉しないように決定される。
【００７０】
図６に示す実施例では、重畳信号が「０」および「１」であるときの重畳信号の波長偏移量がそれぞれ「−Δλ」および「＋Δλ」であるが、実施形態はこの方式に限定されるものではない。例えば、重畳信号が「０」および「１」であるときの波長変化量がそれぞれ「＋Δλ」および「−Δλ」であってもよい。また、重畳信号が「０（または、１）」であるときに、サブチャネル信号の波長の偏移をゼロとし、重畳信号が「１（または、０）」であるときにサブチャネル信号の波長を偏移させてもよい。さらに、４値の周波数位相シフトキーイングとして、重畳信号２ビットに対して「００」「０１」「１０」および「１１」であるときの波長偏移量をそれぞれ「−Δλ」「−０．５Δλ」「＋０．５Δλ」および「＋Δλ」などとしてもよい。さらに、２値や４値以外の多値周波数位相シフトキーイングを用いて重畳信号を変調してもよい。
【００７１】
図６に示す実施形態では、重畳信号がデジタル信号であるが、重畳信号がアナログ信号である場合も、波長を偏移させる方法は実質的に同じである。ただし、重畳信号がアナログ信号である場合には、波長偏移量は、離散的ではなく、連続的に変化する。
【００７２】
図７は、受信回路の一実施例を示すブロック図である。また、図８は、受信回路の光フィルタの通過帯域を示す図である。
実施形態の受信回路８０は、図７に示すように、光フィルタ８１、および検出器８２を有する。
【００７３】
光フィルタ８１の透過率（または、損失）は、サブチャネル信号の波長（周波数）に依存する。すなわち、光フィルタ８１は、波長依存性損失光フィルタである。これにより、光フィルタ８１は、サブチャネル信号に重畳されている重畳信号の周波数の差により、サブチャネル信号の透過する光強度に差を持たせることができる。よって、検出器８２は、フィルタリングされたサブチャネル信号の検出レベルに差を出すことができる。
【００７４】
また、光フィルタ８１は、図８（ａ）、（ｂ）に示すように、スーパーチャネル信号の最短波長側、または最長波長側のサブチャネル信号のエッジ部分をフィルタリングするように設定される。これにより、隣接するサブチャネル信号の波長と、光フィルタ８１でフィルタリングされるサブチャネル信号の波長との間隔が大きくなるので、クロストークを低減することができる。そして、光フィルタ８１は、図２においてフィルタ部２３として機能する。
【００７５】
なお、光フィルタ８１の通過帯域は、予め光伝送装置１０で使用するサブチャネル信号の波長に基づいて決められても良いし、制御回路６０が、スーパーチャネル信号で使用する各サブチャネル信号の波長に基づいて設定しても良い。
【００７６】
下記に説明するように光フィルタ８１の通過帯域と、波長依存性損失を設定しても良い。図８の（ａ）、（ｂ）のＴｘ１〜Ｔｘ４には「１」、Ｔｘ５〜Ｔｘ８には「０」を示す重畳信号が重畳されているものとする。
【００７７】
光フィルタ８１では、図８の（ａ）、（ｂ）に示すように、スーパーチャネル信号の最短波長側、または最長波長側のサブチャネル信号のエッジ部分をフィルタリングすることで、通過するサブチャネル信号の光強度に差を出すようにする。これにより、光伝送装置１０は、検出器８２で検出される、フィルタリングされたサブチャネル信号の検出レベルに差を出すことができる。なお、光フィルタ８１は、スーパーチャネル信号の最短波長側、または最長波長側のサブチャネル信号のエッジ部分をフィルタリングすることにより、通過するサブチャネル信号の光強度に差を持たせることができれば、波長依存性損失がなくても良い。
【００７８】
さらに、図８（ａ）のように最長波長側のサブチャネル信号のエッジ部分をフィルタリングするときには、波長が長くなると透過率が高くなり、波長が短くなると透過率が低くなるように光フィルタ８１を設計すると良い。これにより、図８（ａ）に示すように、重畳信号「１」、「０」が切替わることで、最長波長側の波長の透過領域が切替わるので、通過するサブチャネル信号の光強度に差を持たせることができる。
【００７９】
また、図８（ｂ）のように最短波長側のサブチャネル信号のエッジ部分をフィルタリングするときには、波長が長くなると透過率が低くなり、波長が短くなると透過率が高くなるように光フィルタ８１を設計すると良い。これにより、図８（ｂ）に示すように、重畳信号「１」、「０」が切替わることで、最短波長側の波長の透過領域が切替わるので、通過するサブチャネル信号の光強度に差を持たせることができる。
【００８０】
検出器８２は、入力されたサブチャネル信号の光強度に応じた光電流を出力する。すなわち、検出器８２は、光フィルタ８１によりフィルタリングされたサブチャネル信号を電気信号に変換する。検出器８２は、例えば、フォトダイオードを含む。そして、検出器８２は、図２において、検出部２４として機能する。
【００８１】
図９は、サブチャネル信号の同期方法について説明する図である。
図９（ａ）、（ｂ）は、スーパーチャネル信号の中の隣接する２つのサブチャネル信号のスペクトルと、破線に示す波長をフィルタリングした時の検出器５０の検出レベルを示している。また、図９（ａ）、（ｂ）のＴ１〜Ｔ３は、それぞれのサブチャネル信号をフィルタリングした時の時刻を示している。
【００８２】
図９（ａ）では、２つのサブチャネル信号の重畳信号が非同期である。すなわち、図９（ａ）は、２つのサブチャネル信号に、同一であるが、「１」、「０」を示す周波数の切替わる時刻が異なる重畳信号が重畳されている。よって、２つのサブチャネル信号の波長間隔は、時刻によって異なる。したがって、図９（ａ）では、サブチャネル信号の波長間隔が狭くなる時刻Ｔ２でクロストークが発生することが想定される。また、図９（ａ）の検出レベルに示すように、時刻Ｔ１〜Ｔ３の間で検出レベルの差（以下、検出レベル差ともいう。）が大きい。なお、図９（ａ）の上段は、例えば、２つのサブチャネル信号に同じ値を示す重畳信号が重畳されている。図９（ａ）の中段は、例えば、２つのサブチャネル信号にそれぞれ「１」、「０」の値を示す重畳信号が重畳されている。図９（ａ）の下段は、例えば、２つのサブチャネル信号にそれぞれ「０」、「１」の値を示す重畳信号が重畳されている。
【００８３】
図９（ｂ）では、２つのサブチャネル信号の重畳信号が同期している。すなわち、２つのサブチャネル信号に同時に同じ値を示す同一波長の重畳信号が重畳されている。よって、２つのサブチャネル信号の波長間隔は、重畳信号を重畳する前の波長間隔と同じである。したがって、スーパーチャネル信号に含まれる各サブチャネル信号の波長間隔を、クロストークが低減される間隔に設定すれば、クロストークの発生を抑制することができる。また、図９（ｂ）の検出レベルに示すように、時刻Ｔ１〜Ｔ３間での検出レベル差が小さい。
【００８４】
したがって、光モニタ制御回路６１は、繰り返し検出器５０から入力される電気信号の検出レベルの差を測定する。そして、光モニタ制御回路６１は、測定した検出器５０から入力される電気信号の検出レベルの差を送信信号制御回路６３に出力する。
【００８５】
そして、送信信号制御回路６３は、光モニタ制御回路６１から入力された電気信号の検出レベルの差が小さくなるように、繰り返し各送信器Ｔｘ１〜ＴｘＮに入力する遅延量Δｔ１〜ΔｔＮを変化させ、重畳信号を重畳するタイミングを調整する。
【００８６】
以上により、光伝送装置１０は、サブチャネル信号に重畳されている重畳信号を同期させることができる。
【００８７】
図１０は、周波数変調による波長偏移量の設定の一例を説明する図である。
図１０の（ａ）〜（ｃ）の横軸は、サブチャネル信号の波長を示す。また、図１０（ａ）〜（ｃ）にある破線は、光フィルタ８１の通過帯域の中心波長である。また、サブチャネル信号のスペクトルの中心にある破線は、サブチャネル信号の中心波長である。
【００８８】
以下に、図１０を参照して、周波数変調による波長偏移量の設定の一例を説明する。
図１０（ａ）に示すように、隣接するサブチャネル信号を最も接近させたとき、光フィルタ８１の通過帯域の中心波長と、隣接するサブチャネルの中心波長の中間の波長とが一致するようにする。
【００８９】
次に、図１０（ｂ）に示すように、図１０（ａ）の状態から波長偏移するとき、検出器５０におけるフィルタリングされた２つのサブチャネル信号の検出レベルがゼロになるように、波長偏移量を設定する。
【００９０】
そして、光伝送装置１０は、２つのサブチャネル信号の中心波長を光フィルタ８１の通過帯域の中心波長に近づけながら、検出レベルをチェックする。このとき、光伝送装置１０は、重畳信号を重畳する前（サブチャネル信号の重畳信号が同期したとき）、検出される検出レベルが予め定めた値になるように、サブチャネル信号の中心波長を設定する。
【００９１】
そして、図１０（ｃ）のように、２つのサブチャネル信号の中心波長が決定されたとき、クロストークが抑制されていれば、波長偏移量と隣接するサブチャネルの中心波長とを設定された値に決定する。
【００９２】
予め定められた検出レベルの値とは、サブチャネル信号の同期、非同期時の検出レベルの差を感度が大きくなるように設定されると良い。
【００９３】
なお、図１０（ｃ）において、２つのサブチャネル信号の中心波長が決定されたとき、クロストークが抑制されていなければ、光フィルタ８１の特性、および予め定められた検出レベルの値を調整して、上記の手順を繰り返す。
【００９４】
以上のように、光伝送装置１０では、図９において説明したサブチャネル信号の同期をする前に、隣接するサブチャネル信号の中心波長と波長偏移量を最適化すると良い。これにより、隣接チャネル間のクロストークを発生させず、検出レベル差の感度を上げることができる。
【００９５】
図１１、１２は、サブチャネルの同期処理の内容を示すフローチャートである。
図１１の説明においては、一例として、スーパーチャネルが４つのサブチャネルを有しているものとする。また、各サブチャネル信号をサブチャネル信号１〜４とする。
【００９６】
まず、制御部２５は、フィルタ部２３の光フィルタ４０の透過波長を、サブチャネル信号１、２の間の波長帯域に設定する（Ｓ１）。
【００９７】
そして、制御部２５は、送信部２１を制御して、各サブチャネル信号に重畳信号を重畳させる（Ｓ２）。
【００９８】
送信部２１は、重畳信号を重畳したサブチャネル信号の中で、隣接する波長を有する４つのサブチャネル信号を、１つのスーパーチャネル信号として送信する（Ｓ３）。そして、光スプリッタ２６により、スーパーチャネル信号は、フィルタ部２３に入力される。
【００９９】
フィルタ部２３は、スーパーチャネル信号が入力されるとサブチャネル信号１、２を同時にフィルタリングし、検出部２４に出力する（Ｓ４）。なお、フィルタ部２３は、サブチャネル信号１、２の同期が終わると、サブチャネル信号２、３を同時にフィルタリングする。また、フィルタ部２３は、サブチャネル信号２、３の同期が終わると、サブチャネル信号３、４を同時にフィルタリングする。
【０１００】
検出部２４は、フィルタ部２３から入力されるフィルタリングされた２つのサブチャネル信号１、２の光強度を表す検出レベルを制御部２５に出力する（Ｓ５）。Ｓ１〜Ｓ５は、最低２回以上繰り返した後、Ｓ６に進む。
【０１０１】
制御部２５は、検出レベル差を算出し、検出部２４で変換された電気信号の検出レベル差が予め定められた閾値よりも小さいとき、Ｓ７を実行する（Ｓ６にてＹｅｓ）。なお、Ｓ１〜Ｓ５が、複数回繰り返され、検出レベル差が複数得られたとき、制御部２５は、得られた検出レベル差の平均を検出レベル差として使用しても良い。
【０１０２】
制御部２５は、送信部２１に未同期の送信器があるとき、Ｓ１を実行する（Ｓ７にてＹｅｓ）。制御部２５は、送信部２１に未同期の送信器がないとき、同期処理を終了する（Ｓ７にてＮｏ）。
【０１０３】
Ｓ６において、検出部２４で変換された電気信号の検出レベル差が予め定められた閾値よりも大きいとき、図１２のＳ８を実行する。
【０１０４】
制御部２５は、規定回数以上Ｓ２〜Ｓ６の処理を繰り返したとき（Ｓ８にてＹｅｓ）、サブチャネル信号を同期することができないと判断し、ユーザにサブチャネル信号を同期することができないことをアラームで通知する（Ｓ９）。そして、制御部２５は、同期処理を終了する。なお、規定回数とは、図示しない記憶部に予め記憶された回数を用いると良い。また、ユーザへの通知は、アラームに特に限定されるものではなく、表示装置に表示させることで通知しても良い。
【０１０５】
制御部２５は、規定回数以上Ｓ２〜Ｓ６の処理を繰り返していないとき（Ｓ８にてＮｏ）、重畳信号の遅延量を調整して、Ｓ２を実行する（Ｓ１０）。
【０１０６】
以上の処理を実行することで、光伝送装置１０は、スーパーチャネル信号の各サブチャネル信号に重畳される重畳信号を同期することができる。また、光伝送装置１０は、スーパーチャネル信号の各サブチャネル信号に重畳される重畳信号を同期できないとき、異常としてユーザに通知することができる。
【０１０７】
図１３は、光伝送装置の他の例を示す図である。
図３と同じ構成に関しては、同じ符号を付し説明を省略する。
図１３は、図３の光フィルタ４０、および検出器５０の代わりに、コヒーレント受信器９０を用いて、隣接する２つのサブチャネル信号の検出レベルを取得する構成である。
【０１０８】
コヒーレント受信器９０は、光ハイブリッド９１、局部発振光ＬＯ９２、検出器９３、アンチエイリアシングフィルタＡＡＦ９４、およびＡＤＣ／ＤＳＰ９５を有する。
【０１０９】
コヒーレント受信器９０は、光スプリッタ２６より入力されたスーパーチャネル信号を、光ハイブリッド９１と局部発振光９２とを用いてベースバンド付近までダウンコンバートし、検出器９３に入力する。検出器９３は、入力されたスーパーチャネル信号に含まれる複数のサブチャネル信号を複数の電気信号に変換してＡＡＦ９４に入力する。
【０１１０】
そして、ＡＤＣ／ＤＳＰ９５は、ＡＡＦ９４を透過した複数の電気信号の中で、波長が隣接する２つの電気信号の一部をフィルタリングし、フィルタリングされた２つの電気信号の強度を表す検出レベルを制御回路６０に出力する。
【０１１１】
その他の構成は、図３で説明した構成と同じである。
図１４は、光伝送装置の他の例を示す図である。
図１４は、図１３のコヒーレント受信器９０に代えて、コヒーレント受信器１１０を用いた構成である。図１３と同じ構成に関しては、同じ符号を付し説明を省略する。
【０１１２】
コヒーレント受信器１１０は、ＡＡＦ９４からＡＤＣ／ＤＳＰ１２０に複数の電気信号を入力する。
【０１１３】
ＡＤＣ／ＤＳＰ１２０は、ＡＤＣ１１１、デマックスフィルタ１１２、等化器１１３ａ、１１３ｂ、ＦＳＫ検出器１１４ａ、１１４ｂ、および位相比較器１１５を有する。なお、ＡＤＣ／ＤＳＰ１２０における、デマックスフィルタ１１２、等化器１１３ａ、１１３ｂ、ＦＳＫ検出器１１４ａ、１１４ｂ、および位相比較器１１５は、ＤＳＰによるデジタル信号処理で実現される。
【０１１４】
ＡＤＣ１１１は、入力された複数の電気信号をアナログ−デジタル変換し、デマックスフィルタ１１２に入力する。デマックスフィルタ１１２は、デジタル信号処理により、入力された複数の電気信号の中で、波長が隣接する２つの電気信号を分離する。等化器１１３ａ、１１３ｂは、それぞれ分離された２つの電気信号の波形ひずみを整形する。ＦＳＫ検出器１１４ａ、１１４ｂは、周波数オフセット補償アルゴリズムを用いて、分離された２つの電気信号から２つの重畳信号を復調する。位相比較器１１５は、復調された２つの重畳信号の位相を比較し、位相比較結果を制御回路６０に出力する。制御回路６０は、入力された位相比較結果を参照し、位相が同じになるように、対応する２つのサブチャネル信号に重畳する重畳信号の遅延量を調整する。光伝送装置１０は、２つのサブチャネル信号に重畳する重畳信号の位相が同じになるごとに、デマックスフィルタ１１２で分離する２つの電気信号を変更する。これにより、光伝送装置１０は、各サブチャネル信号の重畳信号を同期させることができる。
【０１１５】
図１５、１６は、光伝送装置を有するノード装置の一実施例を示すブロック図である。
図１５、１６では、光分岐挿入装置６に実施形態の光伝送装置１０を適用した構成を示すが、光分岐挿入装置７、８、波長クロスコネクト９に適用しても良い。
【０１１６】
図１５に示す光分岐挿入装置６は、光アンプ１４１、１４６、光スプリッタ１４２、１４３、１４５、波長選択スイッチ（ＷＳＳ：Ｗａｖｅｌｅｎｇｔｈ  Ｓｅｌｅｃｔｉｖｅ  Ｓｗｉｔｃｈ）１４４、受信回路８０、および送信回路１３０を有する。
【０１１７】
光アンプ１４１は、入力されたＷＤＭ信号を増幅する。光スプリッタ１４２は、光アンプ１４１により増幅されたＷＤＭ信号を受信回路８０に導くと共に、そのＷＤＭ信号を光スプリッタ１４３に導く。光スプリッタ１４３は、光スプリッタ１４２から入力されたＷＤＭ信号を波長選択スイッチ１４４に導くと共に、そのＷＤＭ信号を分岐してドロップ信号を生成する。ドロップ信号は、例えば、図示しない波長選択分岐器またはデマルチプレクサに導かれる。波長選択分岐器は、指定された波長をドロップ信号から選択してクライアント端末に導く。デマルチプレクサは、ドロップ信号を波長ごとに分離する。この場合、デマルチプレクサにより得られる複数のスーパーチャネル信号の一部または全部がクライアント端末に導かれる。
【０１１８】
波長選択スイッチ１４４は、入力されたＷＤＭ信号およびアド信号から指定された波長を選択する。また、波長選択スイッチ１４４は、複数の入力ポートを備える。すなわち、波長選択スイッチ１４４は、入力されたＷＤＭ信号を受信するポートに加えて、１または複数のアド信号を受信するポートを備えている。また、波長選択スイッチ１４４は、複数の出力ポートを備えてもよい。
【０１１９】
光スプリッタ１４５は、波長選択スイッチ１４４から入力されるＷＤＭ信号を分岐して受信回路８０および光アンプ１４６に導く。そして、光アンプ１４６は、光スプリッタ１４５から入力されるＷＤＭ信号を増幅する。
【０１２０】
受信回路８０の動作は、図７を参照しながら説明した通りである。すなわち、受信回路８０は、スーパーチャネル信号の複数のサブチャネル信号の中で、最短波長側、または最長波長側のサブチャネル信号を、波長依存性損失を有する光フィルタ８１でフィルタリングする。そして、受信回路８０は、光フィルタ８１でフィルタリングされたサブチャネル信号から、光強度を表す検出レベルの電気信号を生成する。
【０１２１】
また、送信回路１３０は、送信回路２００の光フィルタ４０、および検出器５０に代えて、受信回路８０を用いた構成である。したがって、送信回路１３０の動作は、図３を参照しながら説明した送信回路２００と同じである。
【０１２２】
図１６に示す光分岐挿入装置６は、光アンプ１４１、１４６、光スプリッタ１４２、１４３、１４５、波長選択スイッチＷＳＳ１４４、受信回路８０、および送信回路２００を有する。
【０１２３】
図１６に示す光分岐挿入装置６の構成は、図１５の送信回路１３０に変えて、図３の送信回路２００を用いたものである。
したがって、図１６に示す光分岐挿入装置６の動作は、図１５を説明した光分岐挿入装置６の動作とおなじである。
【０１２４】
図１５、図１６のノード装置は一例であり、他の構成のノード装置に対しても、実施形態の光伝送装置１０を適用することができる。
【０１２５】
以上のように、実施形態の光伝送装置１０は、スーパーチャネル信号が有する各サブチャネル信号に、同一であり、かつ同じタイミングで切替わる重畳信号を重畳することができる。よって、光伝送装置は、スーパーチャネル信号が有する各サブチャネル信号に重畳信号を重畳したときでも、各サブチャネル信号の波長間隔を設定された間隔に保つことができるので、サブチャネル信号間のクロストークを抑制することができる。
【０１２６】
また、実施形態の光伝送装置１０は、スーパーチャネル信号の最短波長側、または最長波長側のサブチャネル信号のエッジ部分をフィルタリングする。よって、隣接するサブチャネル信号の波長と、光フィルタ８１でフィルタリングされるサブチャネル信号の波長との間隔が大きくなるので、クロストークを低減することができる。
【符号の説明】
【０１２７】
１  光伝送システム
２〜５  ＷＤＭ伝送装置
６〜８  光分岐挿入装置
９  波長クロスコネクト
１０  光伝送装置
１１  ネットワーク管理システム
１２〜１５  クライアント
２１  送信部
２２  受信部
２３  フィルタ部
２４  検出部
２５  制御部
２６  光スプリッタ
３０  信号生成回路
３１−１〜３１−ｍ、３２  マルチプレクサ
４０、８１  光フィルタ
５０  検出器
６０  制御回路
６１  光モニタ制御回路
６２  光伝送システム制御回路
６３  送信信号制御回路
７１  光源
７２  乗算器
７３  変調器
８０  受信回路
８２  検出器
９０、１１０  コヒーレント受信器
９１  光ハイブリッド
９２  局部発振光
９３  検出器
９４  アンチエイリアシングフィルタ
１００  光伝送システム
１１０  コヒーレント受信器
１１２  デマックスフィルタ
１１３ａ、１１３ｂ  等化器
１１４ａ、１１４ｂ  検出器
１１５  位相比較器
１３０、２００  送信回路
１４１、１４６  光アンプ
１４２、１４３、１４５  光スプリッタ
１４４  波長選択スイッチ
【図１】
2014103600.tif 000003
【図２】
2014103600.tif 000004
【図３】
2014103600.tif 000005
【図４】
2014103600.tif 000006
【図５】
2014103600.tif 000007
【図６】
2014103600.tif 000008
【図７】
2014103600.tif 000009
【図８】
2014103600.tif 000010
【図９】
2014103600.tif 000011
【図１０】
2014103600.tif 000012
【図１１】
2014103600.tif 000013
【図１２】
2014103600.tif 000014
【図１３】
2014103600.tif 000015
【図１４】
2014103600.tif 000016
【図１５】
2014103600.tif 000017
【図１６】
2014103600.tif 000018